(57)【特許請求の範囲】
【請求項１】
基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局によるトランスポートフォーマットコンビネーション選択方法であって、
前記複数の第１のＴＦＣごとに、当該第１のＴＦＣを用いる場合の前記第１の物理チャネルの送信電力を計算し、計算した送信電力と前記移動局の最大電力とを比較し、当該比較結果に基づいて前記移動局が送信可状態になるかを判定する第１のステップと、
前記複数の第１のＴＦＣのそれぞれと前記複数の第２のＴＦＣのそれぞれとの組み合わせごとに、当該第１および第２のＴＦＣをそれぞれ用いる場合の前記第１および第２の物理チャネルの送信電力の合計を計算し、計算した送信電力の合計と前記移動局の最大電力とを比較し、当該比較結果に基づいて前記移動局が送信可状態になるかを判定する第２のステップと、
前記移動局が送信可状態となる第１のＴＦＣの中から、第１のＴＦＣを選択する第３のステップと、
前記選択された第１のＴＦＣを含む組み合わせのうち前記移動局が送信可状態となる組み合わせに含まれる第２のＴＦＣの中から、第２のＴＦＣを選択する第４のステップと、
前記選択された第１および第２のＴＦＣをそれぞれ用いて前記第１および第２の物理チャネルにてデータを送信する第５のステップとを有する、トランスポートフォーマットコンビネーション選択方法。
【請求項２】
基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局によるトランスポートフォーマットコンビネーション選択方法であって、
前記複数の第１のＴＦＣのそれぞれと前記複数の第２のＴＦＣのそれぞれとの組み合わせごとに、当該第１および第２のＴＦＣをそれぞれ用いる場合の前記第１および第２の物理チャネルの送信電力の合計を計算し、計算した送信電力の合計と前記移動局の最大電力とを比較し、当該比較結果に基づいて前記移動局が送信可状態になるかを判定する第１のステップと、
前記移動局が送信可状態となる組み合わせの中から、前記第１および第２のＴＦＣの組み合わせを選択する第２のステップと、
前記選択された組み合わせに含まれる第１および第２のＴＦＣをそれぞれ用いて前記第１および第２の物理チャネルにてデータを送信する第３のステップとを有する、トランスポートフォーマットコンビネーション選択方法。
【請求項３】
前記第２のステップは、
前記第１および第２の物理チャネルのうち優先度が高い一方の物理チャネルのＴＦＣについて、前記移動局が送信可状態となる組み合わせに含まれる前記一方の物理チャネルのＴＦＣの中から選択を行う第４のステップと、
前記優先度が低い他方の物理チャネルのＴＦＣについて、前記選択された前記一方の物理チャネルのＴＦＣを含む組み合わせのうち前記移動局が送信可状態となる組み合わせに含まれる前記他方の物理チャネルのＴＦＣの中から選択を行う第５のステップとからなる、請求項２に記載のトランスポートフォーマットコンビネーション選択方法。
【請求項４】
前記第１および第２の物理チャネルの優先度は、前記基地局に接続された基地局制御装置から当該基地局を介して前記移動局に通知される、請求項３に記載のトランスポートフォーマットコンビネーション選択方法。
【請求項５】
基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局によるトランスポートフォーマットコンビネーション選択方法であって、
前記複数の第１のＴＦＣごとに、当該第１のＴＦＣを用いる場合の前記第１の物理チャネルの送信電力を計算し、計算した送信電力と前記移動局の最大電力とを比較し、当該比較結果に基づいて前記移動局が送信可状態になるかを判定する第１のステップと、
前記複数の第２のＴＦＣごとに、当該第２のＴＦＣを用いる場合の前記第２の物理チャネルの送信電力を計算し、計算した送信電力と、前記移動局の最大電力から前記移動局が送信可状態でかつ送信電力が最大となる第１のＴＦＣを用いた場合の前記第１の物理チャネルの送信電力を引いた電力とを比較し、当該比較結果に基づいて前記移動局が送信可状態になるかを判定する第２のステップと、
前記移動局が送信可状態となる第１のＴＦＣの中から第１のＴＦＣを選択する第３のステップと、
前記移動局が送信可状態でかつ送信電力が最大となる第１のＴＦＣを用いた場合の前記第１の物理チャネルの送信電力と、前記選択された第１のＴＦＣを用いる場合の前記第１の物理チャネルの送信電力との差ΔＰ１′を計算する第４のステップと、
前記移動局が送信不可状態となる第２のＴＦＣを用いる場合の前記第２の物理チャネルの送信電力と、前記移動局が送信可状態でかつ送信電力が最大となる第２のＴＦＣを用いた場合の前記第２の物理チャネルの送信電力との差ΔＰ２′を計算する第５のステップと、
前記移動局が送信不可状態となる第２のＴＦＣのうち、ΔＰ２′がΔＰ１′よりも小さくなる第２のＴＦＣについては、当該第２のＴＦＣを用いた場合の前記移動局の状態を送信可状態に変更した上で、前記移動局が送信可状態となる第２のＴＦＣの中から第２のＴＦＣを選択する第６のステップと、
前記選択された第１および第２のＴＦＣをそれぞれ用いて前記第１および第２の物理チャネルにてデータを送信する第７のステップとを有する、トランスポートフォーマットコンビネーション選択方法。
【請求項６】
優先度の高い物理チャネルを第１の物理チャネルとする、請求項５に記載のトランスポートフォーマットコンビネーション選択方法。
【請求項７】
前記第１および第２の物理チャネルの優先度は、前記基地局に接続された基地局制御装置から当該基地局を介して前記移動局に通知される、請求項６に記載のトランスポートフォーマットコンビネーション選択方法。
【請求項８】
基地局と、前記基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局とを有してなる無線通信システムであって、
前記移動局は、
前記複数の第１のＴＦＣごとに、当該第１のＴＦＣを用いる場合の前記第１の物理チャネルの送信電力を計算し、計算した送信電力と前記移動局の最大電力とを比較し、当該比較結果に基づいて前記移動局が送信可状態になるかを判定し、前記移動局が送信可状態となる第１のＴＦＣの中から、第１のＴＦＣを選択する第１のＴＦＣ選択部と、
前記複数の第１のＴＦＣのそれぞれと前記複数の第２のＴＦＣのそれぞれとの組み合わせごとに、当該第１および第２のＴＦＣをそれぞれ用いる場合の前記第１および第２の物理チャネルの送信電力の合計を計算し、計算した送信電力の合計と前記移動局の最大電力とを比較し、当該比較結果に基づいて前記移動局が送信可状態になるかを判定し、前記選択された第１のＴＦＣを含む組み合わせのうち前記移動局が送信可状態となる組み合わせに含まれる第２のＴＦＣの中から、第２のＴＦＣを選択する第２のＴＦＣ選択部と、
前記選択された第１および第２のＴＦＣをそれぞれ用いて前記第１および第２の物理チャネルにてデータを送信する送信処理部とを有する、無線通信システム。
【請求項９】
基地局と、前記基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局とを有してなる無線通信システムであって、
前記移動局は、
前記複数の第１のＴＦＣのそれぞれと前記複数の第２のＴＦＣのそれぞれとの組み合わせごとに、当該第１および第２のＴＦＣをそれぞれ用いる場合の前記第１および第２の物理チャネルの送信電力の合計を計算し、計算した送信電力の合計と前記移動局の最大電力とを比較し、当該比較結果に基づいて前記移動局が送信可状態になるかを判定するＴＦＣ状態管理部と、
前記移動局が送信可状態となる組み合わせの中から、前記第１および第２のＴＦＣの組み合わせを選択するＴＦＣ選択部と、
前記選択された組み合わせに含まれる第１および第２のＴＦＣをそれぞれ用いて前記第１および第２の物理チャネルにてデータを送信する送信処理部とを有する、無線通信システム。
【請求項１０】
基地局と、前記基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局とを有してなる無線通信システムであって、
前記移動局は、
前記複数の第１のＴＦＣごとに、当該第１のＴＦＣを用いる場合の前記第１の物理チャネルの送信電力を計算し、計算した送信電力と前記移動局の最大電力とを比較し、当該比較結果に基づいて前記移動局が送信可状態になるかを判定し、前記移動局が送信可状態となる第１のＴＦＣの中から、第１のＴＦＣを選択する第１のＴＦＣ選択部と、
前記複数の第２のＴＦＣごとに、当該第２のＴＦＣを用いる場合の前記第２の物理チャネルの送信電力を計算し、計算した送信電力と、前記移動局の最大電力から前記移動局が送信可状態でかつ送信電力が最大となる第１のＴＦＣを用いた場合の前記第１の物理チャネルの送信電力を引いた電力とを比較し、当該比較結果に基づいて前記移動局が送信可状態になるかを判定し、また、前記移動局が送信可状態でかつ送信電力が最大となる第１のＴＦＣを用いた場合の前記第１の物理チャネルの送信電力と、前記選択された第１のＴＦＣを用いる場合の前記第１の物理チャネルの送信電力との差ΔＰ１′を計算し、前記移動局が送信不可状態となる第２のＴＦＣを用いる場合の前記第２の物理チャネルの送信電力と、前記移動局が送信可状態でかつ送信電力が最大となる第２のＴＦＣを用いた場合の前記第２の物理チャネルの送信電力との差ΔＰ２′を計算し、さらに、前記移動局が送信不可状態となる第２のＴＦＣのうち、ΔＰ２′がΔＰ１′よりも小さくなる第２のＴＦＣについては、当該第２のＴＦＣを用いた場合の前記移動局の状態を送信可状態に変更した上で、前記移動局が送信可状態となる第２のＴＦＣの中から第２のＴＦＣを選択する第２ＴＦＣ選択部と、
前記選択された第１および第２のＴＦＣをそれぞれ用いて前記第１および第２の物理チャネルにてデータを送信する送信処理部とを有する、無線通信システム。
【請求項１１】
基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局であって、
前記複数の第１のＴＦＣごとに、当該第１のＴＦＣを用いる場合の前記第１の物理チャネルの送信電力を計算し、計算した送信電力と前記移動局の最大電力とを比較し、当該比較結果に基づいて前記移動局が送信可状態になるかを判定し、前記移動局が送信可状態となる第１のＴＦＣの中から、第１のＴＦＣを選択する第１のＴＦＣ選択部と、
前記複数の第１のＴＦＣのそれぞれと前記複数の第２のＴＦＣのそれぞれとの組み合わせごとに、当該第１および第２のＴＦＣをそれぞれ用いる場合の前記第１および第２の物理チャネルの送信電力の合計を計算し、計算した送信電力の合計と前記移動局の最大電力とを比較し、当該比較結果に基づいて前記移動局が送信可状態になるかを判定し、前記選択された第１のＴＦＣを含む組み合わせのうち前記移動局が送信可状態となる組み合わせに含まれる第２のＴＦＣの中から、第２のＴＦＣを選択する第２のＴＦＣ選択部と、
前記選択された第１および第２のＴＦＣをそれぞれ用いて前記第１および第２の物理チャネルにてデータを送信する送信処理部とを有する、無線通信システム。
【請求項１２】
基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局であって、
前記複数の第１のＴＦＣのそれぞれと前記複数の第２のＴＦＣのそれぞれとの組み合わせごとに、当該第１および第２のＴＦＣをそれぞれ用いる場合の前記第１および第２の物理チャネルの送信電力の合計を計算し、計算した送信電力の合計と前記移動局の最大電力とを比較し、当該比較結果に基づいて前記移動局が送信可状態になるかを判定するＴＦＣ状態管理部と、
前記移動局が送信可状態となる組み合わせの中から、前記第１および第２のＴＦＣの組み合わせを選択するＴＦＣ選択部と、
前記選択された組み合わせに含まれる第１および第２のＴＦＣをそれぞれ用いて前記第１および第２の物理チャネルにてデータを送信する送信処理部とを有する、移動局。
【請求項１３】
基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択する移動局であって、
前記複数の第１のＴＦＣごとに、当該第１のＴＦＣを用いる場合の前記第１の物理チャネルの送信電力を計算し、計算した送信電力と前記移動局の最大電力とを比較し、当該比較結果に基づいて前記移動局が送信可状態になるかを判定し、前記移動局が送信可状態となる第１のＴＦＣの中から、第１のＴＦＣを選択する第１のＴＦＣ選択部と、
前記複数の第２のＴＦＣごとに、当該第２のＴＦＣを用いる場合の前記第２の物理チャネルの送信電力を計算し、計算した送信電力と、前記移動局の最大電力から前記移動局が送信可状態でかつ送信電力が最大となる第１のＴＦＣを用いた場合の前記第１の物理チャネルの送信電力を引いた電力とを比較し、当該比較結果に基づいて前記移動局が送信可状態になるかを判定し、また、前記移動局が送信可状態でかつ送信電力が最大となる第１のＴＦＣを用いた場合の前記第１の物理チャネルの送信電力と、前記選択された第１のＴＦＣを用いる場合の前記第１の物理チャネルの送信電力との差ΔＰ１′を計算し、前記移動局が送信不可状態となる第２のＴＦＣを用いる場合の前記第２の物理チャネルの送信電力と、前記移動局が送信可状態でかつ送信電力が最大となる第２のＴＦＣを用いた場合の前記第２の物理チャネルの送信電力との差ΔＰ２′を計算し、さらに、前記移動局が送信不可状態となる第２のＴＦＣのうち、ΔＰ２′がΔＰ１′よりも小さくなる第２のＴＦＣについては、当該第２のＴＦＣを用いた場合の前記移動局の状態を送信可状態に変更した上で、前記移動局が送信可状態となる第２のＴＦＣの中から第２のＴＦＣを選択する第２ＴＦＣ選択部と、
前記選択された第１および第２のＴＦＣをそれぞれ用いて前記第１および第２の物理チャネルにてデータを送信する送信処理部とを有する、移動局。
【発明の詳細な説明】
【技術分野】
【０００１】
本発明は、無線通信システムの移動局において、上り回線の物理チャネルごとに、当該物理チャネルの各トランスポートチャネルに設定するトランスポートフォーマットの組み合わせを示すトランスポートフォーマットコンビネーションを選択する技術に関する。
【背景技術】
【０００２】
ＷＣＤＭＡ（Wideband Code Division Multiple Access）の無線通信システムでは、直接符号拡散多重方式が用いられている。直接符号拡散多重方式では、送信側で拡散符号を用いて送信データを拡散し、受信側で同じ拡散符号を用いて受信データを逆拡散している。これにより、受信データは、干渉や雑音電力に対する希望波電力の比（ＳＮＩＲ：Signal to Noise Interference Ratio）が高くなる。
【０００３】
受信側では、逆拡散によるＳＮＩＲが所定の値以上、すなわち受信データの品質が所定の品質以上であれば希望の受信データを正しく復号することができる。従って、複数の回線で同一周波数帯を使用する場合においても、上記のように拡散および逆拡散を行うことにより、受信側では、各回線の受信データを復号することが可能となる。
【０００４】
一般に、送信側での拡散率が低いほど、同じ時間内に送信できる情報ビット数が多くなり伝送レートは高くなるが、その一方で、逆拡散によるＳＮＩＲの増加は小さくなるため、所定の品質を満たすためには送信電力を高くする必要がある。
【０００５】
しかしながら、直接符号拡散多重方式では、ある回線の送信電力は他の回線の干渉電力となる。従って、各回線において、要求される伝送レートを満たしつつ送信電力をできるだけ小さくできる伝送レートを設定することは、他の回線への干渉の低減を図る上で重要であり、それにより無線通信システムの回線容量の低減にも繋がる。
【０００６】
従って、ＷＣＤＭＡの無線通信システムでは、高速閉ループ型の送信電力制御によって、受信データが所定の品質となるように移動局および基地局の送信電力を制御している。
【０００７】
ところで、３ＧＰＰ（3rd Generation Partnership Project）では、ＷＣＤＭＡの移動局に、トランスポートフォーマットコンビネーション（Transport Format Combination：以下、「ＴＦＣ」と称する）の選択機能を備えさせることが検討されている（「3GPP TS 25.321 V5.8.0 （2004-03） "Medium Access Control （MAC） protocol specification"」を参照）。
【０００８】
ＷＣＤＭＡの移動局は、複数の異なるトランスポートチャネルのデータを単一の物理チャネルで送信することができる。移動局は、一般に、ＤＰＣＨ（Dedicated Physical Channel）を物理チャネルとして使用している。このＤＰＣＨには、パイロットデータや制御データを送信するためのＤＰＣＣＨ（Dedicated Physical Control Channel）と、ユーザデータを送信するためのＤＰＤＣＨ（Dedicated Physical Data Channel）とが含まれる。各トランスポートチャネルにはトランスポートフォーマット（Transport Format：以下、「ＴＦ」と称する）と呼ばれる伝送形式が設定される。ＴＦの設定項目は、トランスポートブロックのサイズ、ＣＲＣ（Cyclic Redundancy Check）ビットサイズ、符号化方法、送信間隔（Transmission Time Interval:ＴＴＩ）などが挙げられる。上記のＴＦＣは、異なるトランスポートチャネルに設定されるＴＦの組み合わせを示すものである。
【０００９】
ＷＣＤＭＡの無線通信システムでは、基地局制御装置が、各移動局の物理チャネルごとに、許可するＴＦＣを１つ以上含むＴＦＣセットを指示し、移動局が、基地局制御装置から指示されたＴＦＣセットの中からＤＰＣＨの送信に用いるＴＦＣを選択する。
【００１０】
ここで、移動局において、ＴＦＣを用いる場合の移動局の状態を判定する方法について図１を参照して説明する。
【００１１】
まず、各ＴＦＣごとに、当該ＴＦＣを用いた場合のＤＰＣＨの送信電力を計算する。
【００１２】
次に、各ＴＦＣを用いる場合の移動局の状態を、一律にサポート状態に分類する。
【００１３】
ここで、サポート状態に属しているＴＦＣの中で、ＤＰＣＨの送信電力が過去の所定時間ＸのうちＹ時間以上で移動局の最大送信電力よりも大きくなるＴＦＣがある場合、そのＴＦＣを用いた場合の移動局の状態を電力超過状態とする。
【００１４】
また、電力超過状態に属しているＴＦＣの中で、所定時間Ｔ以上電力超過状態に属しているＴＦＣがある場合、そのＴＦＣを用いた場合の移動局の状態をブロック状態とする。
【００１５】
また、電力超過状態またはブロック状態に属しているＴＦＣの中で、ＤＰＣＨの送信電力が所定時間Ｚの間連続して移動局の最大送信電力以下であるＴＦＣがある場合、そのＴＦＣを用いた場合の移動局の状態をサポート状態に戻す。
【００１６】
移動局は、以上のような方法で各ＴＦＣを用いた場合の移動局の状態を判定する。そして、移動局は、ブロック状態以外となるＴＦＣの中から、優先度の高いトランスポートチャネルには伝送レートの高いＴＦが設定されるようにＴＦＣを選択する。このように、各ＴＦＣを用いた場合の移動局の状態を、長時間の伝搬路変動を基に判定しているため、フェージング変動などで瞬時的には伝搬路が変動している場合も、長期的に平均すると要求品質を満たせるようなＴＦＣを選択することができる。
【００１７】
現在、３ＧＰＰでは、上り回線でパケットを高速に伝送するための物理チャネルとして、ＥＵＤＣＨ（Enhanced Uplink Data Channel）を用いることが検討されている。ＥＵＤＣＨでは、移動局のＴＦＣ選択機能を利用して、基地局および基地局制御装置が移動局の上り回線のパケット伝送形式（主に伝送レート）を制御することが検討されている（「3GPP TR 25.896 V6.0.0 （2004-03） "Feasibility Study for Enhanced Uplink for UTRAFDD"」を参照）。
【００１８】
これによれば、ＷＣＤＭＡの無線通信システムにおいては、基地局が、移動局から受信したデータについて希望波に占める雑音電力の割合（ノイズライズ）を測定し、基地局制御装置が、基地局による上記の測定値が所定の閾値を超えないように、基地局に接続される移動局の接続数や移動局のＴＦＣセットを制御する。
【００１９】
しかしながら、一般に、基地局と基地局制御装置との間のデータ伝送には一定の遅延が生じ、また、基地局制御装置から移動局へのデータ伝送にも大きな遅延を生じる。そのため、基地局制御装置が瞬時的なノイズライズの変動に対応して、移動局数やＴＦＣセットを制御することは困難である。
【００２０】
そのため、従来のＷＣＤＭＡの無線通信システムでは、ノイズライズの平均値が所定の閾値よりも十分に小さくなるように移動局数やＴＦＣセットを設定し、急激なノイズライズ変動に備える必要があった。
【００２１】
そこで、ＥＵＤＣＨでは、基地局が、使用を許可するＴＦＣのうちＥＵＤＣＨの送信電力が最大となるＴＦＣ（最大ＴＦＣ）を移動局に高速に指示し、移動局が、基地局に指示された最大ＴＦＣを用いた場合のＥＵＤＣＨの送信電力以下となるようなＴＦＣを選択することが検討されている。
【００２２】
これにより、ノイズライズの変動幅を小さくすることが可能となるため、ノイズライズの平均値を高く設定することができる。すなわち、基地局に接続される移動局数や最大ＴＦＣを電力の最大値を従来よりも高く設定することが可能となるため、上り回線のカバレッジやキャパシティが向上する。
【非特許文献１】3GPP TS 25.321 V5.8.0 （2004-03） "Medium Access Control （MAC） protocol specification"
【非特許文献２】3GPP TR 25.896 V6.0.0 （2004-03） "Feasibility Study for Enhanced Uplink for UTRAFDD"
【発明の開示】
【発明が解決しようとする課題】
【００２３】
しかしながら、移動局は、上り回線の物理チャネルとして、ＥＵＤＣＨだけでなく、上述したＤＰＣＨも用いているため、ＤＰＣＨに対してもＴＦＣを選択する必要がある。そのため、移動局は、ＥＵＤＣＨに対するＴＦＣと、ＤＰＣＨに対するＴＦＣとを２つ選択しなければならない。
【００２４】
ところが、上述したように、移動局は、ＴＦＣを選択するに際しては、各ＴＦＣを用いた場合の送信電力が移動局の最大送信電力よりも大きいか否かで移動局の状態を判定している。
【００２５】
従って、移動局は、例えば、図２に示すように、ＥＵＤＣＨに対するＴＦＣ（以下、「Ｅ−ＴＦＣ」と称する）の選択時には、ＥＵＤＣＨの送信電力が最大送信電力Ｐmax以下のＰEUDCHであるＥ−ＴＦＣ４を選択し、ＤＰＣＨに対するＴＦＣの選択時には、ＤＰＣＨの送信電力が移動局の最大送信電力Ｐmax以下のＰDPCHであるＴＦＣ６を選択する場合がある。
【００２６】
しかしながら、ＥＵＤＣＨおよびＤＰＣＨにて同時にデータを送信した場合には、ＥＵＤＣＨおよびＤＰＣＨの送信電力の合計（ＰEUDCH＋ＰDPCH）は移動局の最大送信電力Ｐmaxを超えており、送信電力が不足してしまうという問題が生じる。
【００２７】
このような場合には、最大送信電力Ｐmax以下となるように、ＴＦＣおよびＥ−ＴＦＣの一方もしくは両方の送信電力を削減して電力調整を行う必要があるが、送信電力が削減された物理チャネルで送信されるデータの品質が劣化してしまうという問題が生じる。
【００２８】
そこで、本発明の目的は、選択したＥ−ＴＦＣおよびＴＦＣを用いてＥＵＤＣＨおよびＤＰＣＨにて同時にデータを送信した場合に、送信電力の合計が移動局の最大電力を超えないようなＥ−ＴＦＣを選択することができるトランスポートフォーマットコンビネーション選択方法、無線通信システムおよび移動局を提供することにある。
【課題を解決するための手段】
【００２９】
本発明のトランスポートフォーマットコンビネーション選択方法は、移動局と基地局との間の上り回線の第１の物理チャネルに設定される複数の第１のＴＦＣの中から、当該第１の物理チャネルにおけるデータ送信に用いる第１のＴＦＣを選択するとともに、前記上り回線の第２の物理チャネルに設定される複数の第２のＴＦＣの中から、当該第２の物理チャネルにおけるデータ送信に用いる第２のＴＦＣを選択するものである。
【００３０】
具体的には、まず、移動局は、複数の第１のＴＦＣごとに、当該第１のＴＦＣを用いる場合の第１の物理チャネルの送信電力を計算し、計算した送信電力と移動局の最大電力とを比較し、当該比較結果に基づいて移動局が送信可状態になるかを判定する。次に、移動局は、複数の第１のＴＦＣのそれぞれと複数の第２のＴＦＣのそれぞれとの組み合わせごとに、当該第１および第２のＴＦＣをそれぞれ用いる場合の第１および第２の物理チャネルの送信電力の合計を計算し、計算した送信電力の合計と移動局の最大電力とを比較し、当該比較結果に基づいて移動局が送信可状態になるかを判定する。次に、移動局は、送信可状態となる第１のＴＦＣの中から、第１のＴＦＣを選択する。次に、移動局は、選択された第１のＴＦＣを含む組み合わせのうち移動局が送信可状態となる組み合わせに含まれる第２のＴＦＣの中から、第２のＴＦＣを選択する。その後、移動局は、選択された第１および第２のＴＦＣをそれぞれ用いて第１および第２の物理チャネルにてデータを送信する。
【発明の効果】
【００３１】
これにより、本発明によれば、先に選択した第１のＴＦＣに応じて、第１および第２の物理チャネルの送信電力の合計が移動局の最大電力を超えないように第２のＴＦＣを選択することが可能となる。従って、第１および第２の物理チャネルの送信電力を削減せずにデータ送信を行うことができるため、第１および第２の物理チャネルにて送信されるデータの品質低下を防止することができる。
【００３２】
また、実際に送信する第１のＴＦＣとの組み合わせで第２のＴＦＣを選択することができるため、未使用の第１のＴＦＣのために電力が確保され第２のＴＦＣに電力を割り当てられなくなる問題点が解決でき、移動局の電力を有効に使用することが可能となる。従って、第２の物理チャネルのスループットを向上させることができる。
【００３３】
さらに、第１の物理チャネルに用いる第１のＴＦＣの選択機能を備える移動局に対して、既存の第１のＴＦＣの選択機能に影響を与えずに第２の物理チャネルに用いる第２のＴＦＣ選択機能を追加することができる。
【発明を実施するための最良の形態】
【００３４】
図３に示すように、本発明の無線通信システムは、基地局制御装置１０１と、基地局制御装置１０１に接続される基地局１１１，１１２と、基地局１１１または基地局１１２に接続される移動局１２１〜１２５とを有している。
【００３５】
なお、図３においては、基地局制御装置１０１に２つの基地局１１１，１１２が接続されているが、基地局制御装置１０１に接続される基地局の数は２つとは限らない。また、基地局１１１，１１２には５つの移動局１２１〜１２５が接続されているが、移動局の数は５つとは限らない。
【００３６】
基地局１１１は、ＥＵＤＣＨにてデータを受信可能な基地局であり、基地局１１２は、ＥＵＤＣＨにてデータを受信できない基地局である。
【００３７】
このため、基地局１１２に接続されている移動局１２４，１２５は、基地局１１２との間では、従来のＤＰＣＨでのみデータの送受信を行っている。このＤＰＣＨには、ユーザデータを送信するためのＤＰＤＣＨと、パイロットデータや制御データを送信するためのＤＰＣＣＨとが含まれる。
【００３８】
基地局１１１に接続されている移動局１２１，１２３は、ＥＵＤＣＨにてデータを送信可能な移動局である。そのため、移動局１２１，１２３は、基地局１１１との間で、ＤＰＣＨとＥＵＤＣＨにてデータの送受信を行っている。詳細には、移動局１２１，１２３と基地局１１１との間の上り回線では、移動局１２１，１２３は、ＤＰＣＨにてデータを送信するとともに、ＥＵＤＣＨにてデータを高速に送信している。また、移動局１２１，１２３と基地局１１１との間の下り回線では、基地局１１１は、ＤＰＣＨにてデータを送信するとともに、ＥＵＤＣＨにて制御データを送信している。
【００３９】
基地局１１１に接続されている移動局１２２は、ＥＵＤＣＨにてデータを送信できない移動局である。そのため、移動局１２２は、基地局１１１との間で、ＤＰＣＨでのみデータの送受信を行っている。
【００４０】
基地局制御装置１０１は、ＤＰＣＨのＴＦＣセットを基地局１１１，１１２を介して移動局１２１〜１２５に通知するとともに、ＥＵＤＣＨのＥ−ＴＦＣセットを基地局１１１を介して移動局１２１，１２３に通知する。
【００４１】
基地局１１１は、移動局１２１，１２３から上り回線で受信したデータについて、希望波に占める雑音電力の割合（ノイズライズ）を測定し、ノイズライズが所定閾値以下となるように、移動局１２１，１２３のＤＰＣＨの最大ＴＦＣおよびＥＵＤＣＨの最大Ｅ−ＴＦＣを所定のタイミングで更新し、移動局１２１，１２３に通知する。また、基地局１１１は、移動局１２２から上り回線で受信したデータについて、希望波に占める雑音電力の割合（ノイズライズ）を測定し、ノイズライズが所定閾値以下となるように、移動局１２２のＤＰＣＨの最大ＴＦＣを所定のタイミングで更新し、移動局１２２に通知する。
【００４２】
基地局１１２は、移動局１２４，１２５から上り回線で受信したデータについて、希望波に占める雑音電力の割合（ノイズライズ）を測定し、ノイズライズが所定閾値以下となるように、移動局１２４，１２５のＤＰＣＨの最大ＴＦＣを所定のタイミングで更新し、移動局１２４，１２５に通知する。
【００４３】
移動局１２１，１２３は、基地局制御装置１０１から通知されたＴＦＣセットに含まれる各ＴＦＣごとに、当該ＴＦＣを用いた場合の移動局の状態を判定するとともに、基地局制御装置１０１から通知されたＴＦＣセットに含まれるＴＦＣとＥ−ＴＦＣセットに含まれるＥ−ＴＦＣとの組み合わせごとに、当該ＴＦＣとＥ−ＴＦＣとを用いた場合の移動局の状態を判定する。もしくは、移動局１２１，１２３は、ＴＦＣとＥ−ＴＦＣとの組み合わせについて移動局の状態を判定する代わりに、Ｅ−ＴＦＣセットに含まれるＥ−ＴＦＣごとに、当該Ｅ−ＴＦＣを用いた場合の移動局の状態を判定する。そして、移動局１２１，１２３は、移動局の状態の判定結果に基づいてＤＰＣＨの送信に用いるＴＦＣとＥＵＤＣＨの送信に用いるＥ−ＴＦＣとを選択する。
【００４４】
移動局１２２，１２４，１２５は、基地局制御装置１０１から通知されたＴＦＣセットに含まれる各ＴＦＣごとに、当該ＴＦＣを用いた場合の移動局の状態を判定し、その判定結果に基づいてＤＰＣＨの送信に用いるＴＦＣを選択する。
【００４５】
以下、図３に示した移動局１２１，１２３において、ＴＦＣを用いた場合の移動局の状態、ＴＦＣおよびＥ−ＴＦＣを組み合わせて用いた場合の移動局の状態、またはＥ−ＴＦＣを用いた場合の移動局の状態を判定する方法について説明する。
【００４６】
ここでは、図４のフローチャートを参照して、ＴＦＣを用いた場合の移動局の状態を判定する方法について説明する。なお、ＴＦＣの状態判定においては、ＤＰＣＣＨの送信電力、基準電力（自己の移動局の最大電力など）、ＴＦＣのセット、および電力オフセットに関する情報を用いる。ここで、電力オフセットとは、ＤＰＣＣＨの送信電力と、該当するＴＦＣを用いた場合のＤＰＣＨの送信電力との比である。
【００４７】
移動局１２１，１２３においては、各ＴＦＣについて、単位送信時間毎に移動局の状態判定を行う。まず、基地局制御装置１０１から通知されたＴＦＣセットの中で、現在の単位送信時間において移動局の状態を未判定であるＴＦＣを１つ選択する。そして、選択したＴＦＣについて、ＤＰＣＣＨの送信電力とこのＴＦＣの電力オフセットの情報に基づき、このＴＦＣを用いた場合のＤＰＣＨの送信電力を計算し、メモリに記録する（ステップ１０１）。
【００４８】
次に、このＴＦＣを用いた場合の移動局の状態が、前回の単位送信時間においてサポート状態（データ送信可状態）であったかを判定し（ステップ１０２）、サポート状態であった場合、過去のＸ時間内にＤＰＣＨの送信電力が基準電力以上であった回数がＹ回以上であるかを判定する（ステップ１０３）。
【００４９】
ステップ１０３でＹ回未満であった場合、このＴＦＣを用いた場合の移動局の状態は、現在の単位送信時間でもサポート状態であると判定する（ステップ１０４）。一方、ステップ１０３でＹ回以上であった場合、このＴＦＣを用いた場合の移動局の状態は、現在の単位送信時間では電力超過状態（データ送信可状態）であると判定する（ステップ１０５）。
【００５０】
また、ステップ１０２でサポート状態でなかった場合、このＴＦＣを用いた場合のＤＰＣＨの送信電力が過去のＺ時間の間で連続して基準電力以下であったかを判定する（ステップ１０６）。
【００５１】
ステップ１０６でＺ時間連続して基準電力以下であった場合、このＴＦＣを用いた場合の移動局の状態は、現在の単位送信時間ではサポート状態と判定する（ステップ１０４）。一方、ステップ１０６でＺ時間連続して基準電力以下でなかった場合、このＴＦＣを用いた場合の移動局の状態が、前回の単位送信時間において電力超過状態であったかを判定する（ステップ１０７）。
【００５２】
ステップ１０７で電力超過状態でなかった場合、すなわちブロック状態（データ送信不可状態）であった場合は、このＴＦＣを用いた場合の移動局の状態は、現在の単位送信時間でもブロック状態であると判定する（ステップ１０８）。一方、ステップ１０７で電力超過状態であった場合、このＴＦＣを用いた場合の移動局の電力超過状態が過去Ｔ時間以上の時間で継続しているかを判定する（ステップ１０９）。
【００５３】
ステップ１０９で電力超過状態が過去Ｔ時間以上継続している場合、このＴＦＣを用いた場合の移動局の状態は、現在の単位送信時間ではブロック状態であると判定する（ステップ１０８）。一方、ステップ１０９で電力超過状態が過去Ｔ時間以上継続していない場合、このＴＦＣを用いた場合の移動局の状態は、現在の単位送信時間でも電力超過状態であると判定する（ステップ１０５）。
【００５４】
その後、現在の単位送信時間において全てのＴＦＣについて移動局の状態判定が完了したかを判定し（ステップ１１０）、完了していない場合は、ステップ１０１に戻って、未判定の別のＴＦＣについて上記と同様の処理を行う。
【００５５】
なお、移動局１２２，１２４，１２５において、ＴＦＣを用いた場合の移動局の状態を判定する際にも、上記と同様の動作が行われる。
【実施例１】
【００５６】
本発明の実施例１の無線通信システムに係る移動局１２１，１２３の構成について、図５を参照して説明する。
【００５７】
図５に示すように、本実施例に係る移動局１２１，１２３は、受信処理部３０１と、制御データ分離部３０２と、送信電力測定部３０３と、ＥＵＤＣＨ送信制御部３０４と、ＤＰＣＨ送信制御部３０５と、送信処理部３０８とを有している。
【００５８】
受信処理部３０１は、基地局１１１から送信されてきたデータを受信する。
【００５９】
制御データ分離部３０２は、受信処理部３０１にて受信されたデータをユーザデータと制御データとに分離する。そして、制御データ分離部３０２は、制御データの中から最大Ｅ−ＴＦＣに関する情報をＥ−ＴＦＣ選択部３０７に送り、それ以外のユーザデータおよび制御データを上位レイヤへ送る。
【００６０】
なお、上位レイヤへ送られた制御データのうち、基地局制御装置１０１から基地局１１１を介して送信されてきたＴＦＣセットの情報は、上位レイヤを介してＴＦＣ選択部３１０およびＥ−ＴＦＣ選択部３０７に送られる。また、基地局制御装置１０１から基地局１１１を介して送信されてきたＥ−ＴＦＣセットの情報は、上位レイヤを介してＥ−ＴＦＣ選択部３０７に送られる。ＴＦＣセットおよびＥ−ＴＦＣセットの情報には、各ＴＦＣおよび各Ｅ−ＴＦＣについてのブロックサイズ、ＴＴＩ（送信間隔）、符号化レートなどの情報が含まれる。
【００６１】
送信電力測定部３０３は、単位送信時間ごとに、上り回線のＤＰＣＣＨの送信電力を測定し、その測定結果をＴＦＣ選択部３１０およびＥ−ＴＦＣ選択部３０７に通知する。
【００６２】
ＴＦＣ選択部３１０は、基地局制御装置１０１から通知されたＴＦＣセットに含まれる全てのＴＦＣについて、当該ＴＦＣを用いた場合のＤＰＣＨの送信電力を計算して、図４の方法により当該ＴＦＣを用いた場合の移動局の状態を更新する。そして、ＴＦＣ選択部３１０は、移動局の状態の更新結果と各トランスポートチャネルの優先度と要求されている伝送レートとに応じてＴＦＣを選択し、選択したＴＦＣをＥ−ＴＦＣ選択部３０７に通知する。
【００６３】
Ｅ−ＴＦＣ選択部３０７は、基地局制御装置１０１から指示されたＥ−ＴＦＣセットに含まれるＥ−ＴＦＣとＴＦＣセットに含まれるＴＦＣとの全ての組み合わせについて、当該Ｅ−ＴＦＣとＴＦＣとをそれぞれ用いた場合のＤＰＣＨの送信電力とＥＵＤＣＨの送信電力との合計を計算して、当該Ｅ−ＴＦＣとＴＦＣを用いた場合の移動局の状態を図４の方法で更新する。そして、Ｅ−ＴＦＣ選択部３０７は、移動局の状態の更新結果とＴＦＣ選択部３１０にて選択されたＴＦＣと各トランスポートチャネルの優先度と要求されている伝送レートとに応じてＥ−ＴＦＣを選択する。
【００６４】
ＴＦＣ選択部３１０およびＥ−ＴＦＣ選択部３０７は、それぞれ選択したＴＦＣおよびＥ−ＴＦＣを送信処理部３０８に通知する。
【００６５】
送信処理部３０８は、ＴＦＣ選択部３１０から通知されたＴＦＣを用いて、バッファ３０９に蓄積されているユーザデータをＤＰＤＣＨで基地局１１１に送信するとともに制御データをＤＰＣＣＨで基地局１１１に送信する。また、送信処理部３０８は、Ｅ−ＴＦＣ選択部３０７から通知されたＥ−ＴＦＣを用いて、バッファ３０６に蓄積されているユーザデータを、ＥＵＤＣＨで基地局１１１に送信する。
【００６６】
ここで、ＴＦＣ選択部３１０によるＴＦＣの選択動作およびＥ−ＴＦＣ選択部３０７によるＥ−ＴＦＣの選択動作について、図６および図７を参照して説明する。
【００６７】
各ＴＦＣについての電力オフセットを示す電力オフセットテーブルを図６Ａに示し、Ｅ−ＴＦＣとＴＦＣとの各組み合わせについての電力オフセットを示す電力オフセットテーブルを図６Ｂに示す。また、各ＴＦＣについての移動局の状態を示す状態管理テーブルを図７Ａに示し、Ｅ−ＴＦＣとＴＦＣとの各組み合わせについての移動局の状態を示す状態管理テーブルを図７Ｂに示す。図６Ａおよび図７ＡのテーブルはＴＦＣ選択部３１０にて保持され、図６Ｂおよび図７ＢのテーブルはＥ−ＴＦＣ選択部３０７にて保持される。
【００６８】
ＴＦＣ選択部３１０は、ＴＦＣセットの情報が通知されるため、この情報から図６Ａの電力オフセットテーブルを作成する。Ｅ−ＴＦＣ選択部３０７は、Ｅ−ＴＦＣセットの情報に加えてＴＦＣセットの情報も通知されるため、これらの情報から図６Ｂの電力オフセットテーブルを作成する。
【００６９】
ＴＦＣ選択部３１０は、図６Ａの電力オフセットテーブルを使用して、各ＴＦＣについて、当該ＴＦＣを用いた場合のＤＰＣＨの送信電力を計算して、図４の方法により当該ＴＦＣを用いた場合の移動局の状態を判定する。そして、ＴＦＣ選択部３１０は、図７Ａに示すように状態管理テーブルの内容を更新する。なお、図７Ａにおいては、「Ｓ」はサポート状態、「Ｅ」は電力超過状態、「Ｂ」はブロック状態であることを表している。そして、ＴＦＣ選択部３１０は、移動局がブロック状態以外となるＴＦＣの中から、優先度の高いトランスポートチャネルには伝送レートの高いＴＦが設定されるようにかつ要求される伝送レートを超えないように、ＴＦＣを選択する。選択したＴＦＣは、ＴＦＣ選択部３１０からＥ−ＴＦＣ選択部３０７に通知される。
【００７０】
Ｅ−ＴＦＣ選択部３０７は、図６Ｂの電力オフセットテーブルを使用して、ＴＦＣとＥ−ＴＦＣとの各組み合わせについて、当該ＴＦＣとＥ−ＴＦＣとをそれぞれ用いた場合のＤＰＣＨの送信電力とＥＵＤＣＨの送信電力との合計を計算して、図４の方法により当該ＴＦＣとＥ−ＴＦＣとを用いた場合の移動局の状態を判定する。そして、Ｅ−ＴＦＣ選択部３０７は、図７Ｂに示すように状態管理テーブルの内容を更新する。
【００７１】
そして、Ｅ−ＴＦＣ選択部３０７は、ＴＦＣ選択部３１０にて選択されたＴＦＣを含む組み合わせに含まれるＥ−ＴＦＣの中から、所定の選択条件に従って、Ｅ−ＴＦＣを選択する。例えば、図７Ａで、ＴＦＣ２が選択されたとする（図７Ａの網掛け部分）。この場合、Ｅ−ＴＦＣ選択部３０７は、ＴＦＣ２を含む組み合わせ（図７Ｂの網掛け部分）のうち移動局がブロック状態以外となる組み合わせに含まれるＥ−ＴＦＣ１，Ｅ−ＴＦＣ２の中から、優先度が高いほど伝送レートが高くなり、かつ要求される伝送レートをできるだけ超えないＥ−ＴＦＣ１を選択する。
【００７２】
このように本実施例では、移動局１２１，１２３において、ＴＦＣとＥ−ＴＦＣとの全ての組み合わせについて移動局の状態を判定しているため、先に選択したＴＦＣに応じて送信電力の合計が移動局の最大電力を超えないようにＥ−ＴＦＣを選択することが可能となる。従って、ＤＰＣＨおよびＥＵＤＣＨの各々の送信電力を削減せずにデータ送信を行うことができるため、ＤＰＣＨおよびＥＵＤＣＨで送信されるデータの品質低下を防止することができる。
【００７３】
また、本実施例では、移動局１２１，１２３において、実際の送信に用いるＴＦＣとの組み合わせに応じてＥ−ＴＦＣを選択することができるため、未使用のＴＦＣのために送信電力が確保されてしまうことでＥＵＤＣＨに送信電力が割り当てられなくなることも防止され、移動局の電力を有効に使用することが可能となる。従って、ＥＵＤＣＨのスループットを向上させることができる。
【００７４】
ここで、本発明の実施例１の無線通信システムに係る移動局１２１，１２３の動作について、図８のフローチャートを参照して説明する。
【００７５】
図８に示すように、所定の単位送信時間ごとに、送信電力測定部３０３は、ＤＰＣＣＨの送信電力を測定する（ステップ２０１）。
【００７６】
次に、ＴＦＣ選択部３１０は、各ＴＦＣについて、当該ＴＦＣを用いた場合の移動局の状態を図４の方法により判定する（ステップ２０２）。この状態判定では基準電力として移動局の最大電力を使用する。
【００７７】
次に、Ｅ−ＴＦＣ選択部３０７は、ＴＦＣとＥ−ＴＦＣとの各組み合わせについて、当該ＴＦＣとＥ−ＴＦＣとを用いた場合の移動局の状態を図４の方法により判定する（ステップ２０３）。この状態判定でも基準電力として移動局の最大電力を使用する。
【００７８】
次に、ＴＦＣ選択部３１０およびＥ−ＴＦＣ選択部３０７は、データを送信する直前のタイミング、すなわちＴＦＣとＥ−ＴＦＣを選択するタイミングになったか否かを判定する（ステップ２０４）。このとき、上記タイミングになったか否かは、ＴＦＣセットおよびＥ−ＴＦＣセットに含まれる送信間隔（ＴＴＩ）に基づき判定する。
【００７９】
ステップ２０４で上記タイミングになった場合、ＴＦＣ選択部３１０は、ＤＰＣＨの各トランスポートチャネル用のバッファ３０９に蓄積されたデータ量から各トランスポートチャネルに対して要求される伝送レートを計算する。そして、ＴＦＣ選択部３１０は、移動局がブロック状態以外となるＴＦＣの中から、優先度の高いトランスポートチャネルほど高い伝送レートとなり、かつ各トランスポートチャネルに要求される伝送レートを超えないようなＴＦＣを選択する（ステップ２０５）。
【００８０】
次に、Ｅ−ＴＦＣ選択部３０７は、ＥＵＤＣＨの各トランスポートチャネル用のバッファ３０６に蓄積されたデータ量から各トランスポートチャネルに対して要求される伝送レートを計算する。そして、Ｅ−ＴＦＣ選択部３０７は、上記で選択されたＴＦＣを含む組み合わせのうち移動局がブロック状態以外となる組み合わせに含まれるＥ−ＴＦＣの中から、優先度の高いトランスポートチャネルほど高い伝送レートとなり、かつ各トランスポートチャネルに要求される伝送レートを超えないようなＥ−ＴＦＣを選択する（ステップ２０６）。
【００８１】
その後、送信処理部３０８は、データを送信するタイミングになると、ＴＦＣ選択部３１０で選択されたＴＦＣを用いてＤＰＣＨにて基地局１１１に対してデータ送信を行うとともに、Ｅ−ＴＦＣ選択部３０７で選択されたＥ−ＴＦＣを用いてＥＵＤＣＨにて基地局１１１に対してデータ送信を行う（ステップ２０７）。
【００８２】
移動局１２１，１２３は、以上の動作を所定の単位送信時間ごとに繰り返し行う。
【００８３】
以上のように、本実施例では、移動局１２１，１２３において、ＴＦＣとＥ−ＴＦＣとの全ての組み合わせについて移動局の状態を判定しているため、先に選択したＴＦＣに応じて送信電力の合計が移動局の最大電力を超えないようにＥ−ＴＦＣを選択することが可能となる。従って、ＤＰＣＨおよびＥＵＤＣＨの送信電力を削減せずにデータ送信を行うことができるため、ＤＰＣＨおよびＥＵＤＣＨで送信されるデータの品質低下を防止することができる。
【００８４】
また、本実施例では、移動局１２１，１２３において、実際に用いるＴＦＣとの組み合わせに応じてＥ−ＴＦＣを選択することができるため、未使用のＴＦＣのために送信電力が確保されてしまうことでＥＵＤＣＨに送信電力が割り当てられなくなることも防止され、それにより、移動局の電力を有効に使用することが可能となる。従って、ＥＵＤＣＨのスループットを向上させることができる。
【００８５】
さらに、本実施例では、既存のＤＰＣＨのＴＦＣ選択機能に影響を与えずにＥＵＤＣＨのＥ−ＴＦＣ選択機能を移動局１２１，１２３に追加することができる。
【実施例２】
【００８６】
本発明の実施例２の無線通信システムに係る基地局制御装置１０１の構成について、図９を参照して説明する。
【００８７】
図９に示すように、本実施例に係る基地局制御装置１０１は、受信端７０１と、受信処理部７０２と、制御部７０３と、送信処理部７０５と、送信端７０６とを有している。
【００８８】
受信端７０１は、基地局１１１，１１２と接続されており、移動局１２１〜１２５から基地局１１１，１１２を介してユーザデータおよび制御データを受信する。
【００８９】
受信処理部７０２は、受信端７０１にて受信されたデータをユーザデータと制御データと分離し、ユーザデータを上位レイヤからコアネットワークへ送り、制御データを制御部７０３へ送る。この制御データには、ＤＰＣＨ、ＥＵＤＣＨにてデータ送信を行うサービスに関する情報が含まれている。
【００９０】
制御部７０３内の優先度決定部７０４は、受信処理部７０２からの制御データに含まれる上記のサービスに関する情報に基づいて、ＴＦＣ選択とＥ−ＴＦＣ選択のどちらを優先して処理させるかを示す優先度を決定し、決定した優先度に関する情報を送信処理部７０５に送る。
【００９１】
送信処理部７０５は、優先度決定部７０４からの優先度に関する情報を、他のユーザデータや制御データと多重し、送信端７０６から基地局１１１，１１２を介して該当する移動局（本実施例では、移動局１２１，１２３）へ送信する。
【００９２】
本発明の実施例２の無線通信システムに係る移動局１２１，１２３の構成について、図１０を参照して説明する。
【００９３】
図１０に示すように、本実施例に係る移動局１２１，１２３は、受信処理部８０１と、制御データ分離部８０２と、ＴＦＣ状態管理部８０３と、送信電力測定部８０４と、ＴＦＣ選択部８０５と、送信処理部８０６と、バッファ８０７とを有している。
【００９４】
受信処理部８０１は、基地局１１１から送信されてきたデータを受信する。
【００９５】
制御データ分離部８０２は、受信処理部８０１にて受信されたデータをユーザデータと制御データとに分離する。そして、制御データ分離部８０２は、制御データの中からＴＦＣ選択とＥ−ＴＦＣ選択の優先度に関する情報をＴＦＣ選択部８０５に送り、それ以外のユーザデータおよび制御データを上位レイヤへ送る。
【００９６】
送信電力測定部８０４は、単位送信時間ごとに、上り回線のＤＰＣＣＨの送信電力を測定し、その測定結果をＴＦＣ状態管理部８０３に通知する。
【００９７】
ＴＦＣ状態管理部８０３は、ＤＰＣＣＨの送信電力の情報と、ＴＦＣとＥ−ＴＦＣとの各組み合わせについての電力オフセットの情報とを用いて、ＴＦＣとＥ−ＴＦＣとの全ての組み合わせについて、当該Ｅ−ＴＦＣおよびＴＦＣを用いてデータを送信した場合のＥＵＤＣＨの送信電力とＤＰＣＨの送信電力の合計を計算して、当該Ｅ−ＴＦＣおよび当該ＴＦＣを用いた場合の移動局の状態を図４の方法で判定する。
【００９８】
ＴＦＣ選択部８０５は、所定のＴＦＣ選択タイミングにおいて、制御信号分離部８０２からの優先度に関する情報に基づいて、ＴＦＣとＥ−ＴＦＣのうち優先度の高いほうの選択を先に行い、その後、選択したＴＦＣまたはＥ−ＴＦＣに応じて、もう一方の選択を行う。ＴＦＣ選択部８０５は、選択したＴＦＣおよびＥ−ＴＦＣを送信処理部８０６に通知する。
【００９９】
送信処理部８０６は、ＴＦＣ選択部８０５から通知されたＴＦＣを用いて、バッファ８０７に蓄積されているＤＰＣＨのユーザデータをＤＰＤＣＨで基地局１１１に送信するとともに制御データをＤＰＣＣＨで基地局１１１に送信する。また、送信処理部８０６は、ＴＦＣ選択部８０５から通知されたＥ−ＴＦＣを用いて、バッファ８０７に蓄積されているＥＵＤＣＨのユーザデータを、ＥＵＤＣＨで基地局１１１に送信する。
【０１００】
ここで、ＴＦＣ選択部８０５によるＴＦＣおよびＥ−ＴＦＣの選択動作について、図１１を参照して詳しく説明する。
【０１０１】
Ｅ−ＴＦＣとＴＦＣとの各組み合わせについての移動局の状態を示す状態管理テーブルを図１１に示す。なお、図１１のテーブルはＴＦＣ状態管理部８０３にて保持される。
【０１０２】
本実施例が実施例１と異なる点は、移動局１２１，１２３において、ＴＦＣとＥ−ＴＦＣとの各組み合わせについて移動局の状態を示す状態管理テーブルを１つだけ管理している点と、基地局制御装置１０１から通知された優先度に関する情報に基づいて、ＴＦＣ選択とＥ−ＴＦＣ選択を実行する順序を変更できる点である。
【０１０３】
まず、ＴＦＣ選択部８０５は、ＴＦＣ選択とＥ−ＴＦＣ選択のどちらの優先度が高いかを判定する。ここでは、Ｅ−ＴＦＣ選択の方がＴＦＣ選択よりも優先度が高いものとする。
【０１０４】
次に、ＴＦＣ選択部８０５は、図１１に示す状態管理テーブルに基づいて、移動局がブロック状態以外となる組み合わせに含まれるＥ−ＴＦＣ０，Ｅ−ＴＦＣ１，Ｅ−ＴＦＣ２，Ｅ−ＴＦＣ３の中から、ＥＵＤＣＨの各トランスポートチャネルの優先度、バッファ８０７のデータ蓄積量に応じてＥ−ＴＦＣを選択する。このとき、ＴＦＣ選択部８０５は、ＥＵＤＣＨの各トランスポートチャネルの中で優先度の高いトランスポートチャネルほど伝送レートが高くなり、かつ要求される伝送レートをできるだけ超えないようなＥ−ＴＦＣを選択する。
【０１０５】
その後、ＴＦＣ選択部８０５は、図１１に示す状態管理テーブルに基づいて、先に選択されたＥ−ＴＦＣを含む組み合わせのうち移動局がブロック状態以外となる組み合わせに含まれるＴＦＣの中から、ＤＰＣＨの各トランスポートチャネルの優先度、バッファ８０７のデータ蓄積量に応じてＴＦＣを選択する。
【０１０６】
例えば、ＴＦＣ選択部８０５は、図１１で、Ｅ−ＴＦＣ３を選択したとする。この場合、ＴＦＣ選択部８０５は、Ｅ−ＴＦＣ３を含む組み合わせのうち（図１１の網掛け部分）、移動局がブロック状態以外となる組み合わせに含まれるＴＦＣ０を選択する。
【０１０７】
このように本実施例では、移動局１２１，１２３において、ＴＦＣとＥ−ＴＦＣとの全ての組み合わせについて移動局の状態を判定しているため、先に選択したＴＦＣまたはＥ−ＴＦＣに応じて、送信電力の合計が移動局の最大電力を超えないようにＥ−ＴＦＣまたはＴＦＣを選択することが可能となる。従って、ＤＰＣＨおよびＥＵＤＣＨで送信されるデータの品質低下を防止することができる。
【０１０８】
また、本実施例では、移動局１２１，１２３において、ＴＦＣまたはＥ−ＴＦＣの一方を選択した後、その残りの移動局の電力を有効に活用することができるようにＥ−ＴＦＣまたはＴＦＣを選択できるため、スループットも向上することができる。
【０１０９】
さらに、本実施例では、基地局制御装置１０１において、ＴＦＣ選択とＥ−ＴＦＣ選択の優先度を決定し、移動局１２１，１２３に優先度を指示することができるため、データ遅延に対する要求が厳しいサービス、例えば、音声やストリーミングなどの配信サービスを提供しているチャネルに優先的に移動局の電力を割り当てることが可能となる。従って、サービスの品質を向上することができる。
【０１１０】
ここで、本発明の実施例２の無線通信システムに係る移動局１２１，１２３の動作について、図１２のフローチャートを参照して説明する。本実施例が実施例１と異なる点は、ＴＦＣとＥ−ＴＦＣとの組み合わせについての移動局の状態判定のみを行う点（ステップ３０２）と、ＴＦＣとＥ−ＴＦＣの優先度に応じて、ＴＦＣとＥ−ＴＦＣの選択する順序を決定する点（ステップ３０４）である。
【０１１１】
図１２に示すように、所定の単位送信時間ごとに、送信電力測定部８０４は、ＤＰＣＣＨの送信電力を測定する（ステップ３０１）。
【０１１２】
次に、ＴＦＣ状態管理部８０３は、ＴＦＣとＥ−ＴＦＣとの全ての組み合わせについて、当該ＴＦＣとＥ−ＴＦＣとを用いた場合の移動局の状態を判定する（ステップ３０２）。
【０１１３】
次に、ＴＦＣ選択部８０５は、データを送信する直前のタイミング、すなわちＴＦＣとＥ−ＴＦＣを選択するタイミングになったか否かを判定し（ステップ３０３）、このタイミングになった場合、ＴＦＣ選択またはＥ−ＴＦＣ選択のどちらの優先度が高いかを判定する（ステップ３０４）。
【０１１４】
ステップ３０４でＴＦＣ選択の優先度が高い場合、まず、ＴＦＣ選択部８０５は、ＤＰＣＨの各トランスポートチャネル用のバッファ８０７に蓄積されたデータ量から各トランスポートチャネルに対して要求される伝送レートを計算する。そして、ＴＦＣ選択部８０５は、移動局がブロック状態以外となる組み合わせに含まれるＴＦＣの中から、優先度の高いトランスポートチャネルほど高い伝送レートとなり、かつ各トランスポートチャネルに要求される伝送レートを超えないようなＴＦＣを選択する（ステップ３０５）。次に、ＴＦＣ選択部８０５は、ＥＵＤＣＨの各トランスポートチャネル用のバッファ８０７に蓄積されたデータ量から各トランスポートチャネルに対して要求される伝送レートを計算する。そして、ＴＦＣ選択部８０５は、上記で選択されたＴＦＣを含む組み合わせのうち移動局がブロック状態以外となる組み合わせに含まれるＥ−ＴＦＣの中から、優先度の高いトランスポートチャネルほど高い伝送レートとなり、かつ各トランスポートチャネルに要求される伝送レートを超えないようなＥ−ＴＦＣを選択する（ステップ３０６）。
【０１１５】
一方、ステップ３０４でＥ−ＴＦＣ選択の優先度が高い場合、まず、ＴＦＣ選択部８０５は、ＥＵＤＣＨの各トランスポートチャネル用のバッファ８０７に蓄積されたデータ量から各トランスポートチャネルに対して要求される伝送レートを計算する。そして、ＴＦＣ選択部８０５は、移動局がブロック状態以外となる組み合わせに含まれるＥ−ＴＦＣの中から、優先度の高いトランスポートチャネルほど高い伝送レートとなり、かつ各トランスポートチャネルに要求される伝送レートを超えないようなＥ−ＴＦＣを選択する（ステップ３０７）。次に、ＴＦＣ選択部８０５は、ＤＰＣＨの各トランスポートチャネル用のバッファ８０７に蓄積されたデータ量から各トランスポートチャネルに対して要求される伝送レートを計算する。そして、ＴＦＣ選択部８０５は、上記で選択されたＥ−ＴＦＣを含む組み合わせのうち移動局がブロック状態以外となる組み合わせに含まれるＴＦＣの中から、優先度の高いトランスポートチャネルほど高い伝送レートとなり、かつ各トランスポートチャネルに要求される伝送レートを超えないようなＴＦＣを選択する（ステップ３０８）。
【０１１６】
その後、送信処理部８０６は、データを送信するタイミングになると、ＴＦＣ選択部８０５で選択されたＴＦＣおよびＥ−ＴＦＣを用いて、それぞれＤＰＣＨおよびＥＵＤＣＨにて基地局１１１に対してデータ送信を行う（ステップ３０９）。
【０１１７】
移動局１２１，１２３は、以上の動作を所定の単位送信時間ごとに繰り返し行う。
【０１１８】
以上説明したように、本実施例では、実施例１の機能に加えて、基地局制御装置１０１に、サービスの種類に応じてＴＦＣ選択とＥ−ＴＦＣ選択の優先度を制御する機能を追加している。
【０１１９】
従って、実施例１の効果に加えて、データ遅延に対する要求が厳しいサービス、例えば、音声やストリーミングなどの配信サービスを提供しているチャネルに優先的に移動局の電力を割り当てることが可能となり、サービスの品質を向上することができるという効果が得られる。
【実施例３】
【０１２０】
本発明の実施例３の無線通信システムに係る移動局１２１，１２３の構成は、図５に示した実施例１と同様であるため、図は省略する。
【０１２１】
本発明の実施例３の無線通信システムに係る移動局１２１，１２３において、ＴＦＣおよびＥ−ＴＦＣを選択する動作について、図１３を参照して説明する。
【０１２２】
ＴＦＣ選択部３１０は、各ＴＦＣを用いた場合の移動局の状態について、移動局の最大電力を基準電力として判定する。図１３では、ＴＦＣ０〜ＴＦＣ５のいずれを用いた場合も、移動局の状態は基準電力以下であり、サポート状態と判定する。ここでは、ＤＰＣＨに要求される伝送レートが最大ＴＦＣよりも小さいため、現在、送信処理部３０８がＴＦＣ３を用いてＤＰＣＨにてデータ送信を行っているものとする。
【０１２３】
Ｅ−ＴＦＣ選択部３０７は、各Ｅ−ＴＦＣを用いた場合の移動局の状態について、図１３に示したように、移動局の最大電力から現在のＤＰＣＨの送信電力を引いた残りの電力を基準電力として判定する。すなわち、Ｅ−ＴＦＣ選択部３０７は、各単位送信時間において、実際に、ＥＵＤＣＨに割り当てることが可能な送信電力を基準としてＥ−ＴＦＣの状態を判定している。なお、ＤＰＣＨの送信電力は、送信電力測定部３０３にて測定される。
【０１２４】
一般に、データの送信継続時間は、ＴＦＣを選択する所定の周期よりも長く、また、トラフィックの変動は時間的にある程度の相関を持っている。従って、所定の送信間隔でＤＰＣＨにてデータを送信する場合、ＤＰＣＨにてデータを送信するのに要した電力は、次に送信間隔が経過した時にＤＰＣＨにてデータを送信するのに要した電力と近くなると考えられる。
【０１２５】
よって、本実施例を用いることにより、次に送信間隔が経過した時の送信電力の合計が、移動局の最大電力を超えないようなＥ−ＴＦＣを選択できる確率が高まる。このようなＥ−ＴＦＣを選択することにより、ＤＰＣＨおよびＥＵＤＣＨで送信されるデータの品質低下を防止することができる。また、未使用のＴＦＣのために送信電力が確保されてしまう可能性を低減することができる。従って、ＥＵＤＣＨのスループットを向上させることができる。
【０１２６】
例えば、ＤＰＣＨのトラフィックが高い場合には、ＤＰＣＨの現在の送信電力は高くなる。これに伴い、各Ｅ−ＴＦＣについて移動局の状態判定に用いる基準電力は小さくなるため、伝送レートが高いトランスポートチャンネルを含むＥ−ＴＦＣを選択した場合の移動局はブロック状態となる。
【０１２７】
逆に、ＤＰＣＨのトラフィックが低くなると、各Ｅ−ＴＦＣについての移動局の状態判定に用いる基準電力は大きくなる。そのため、伝送レートの高いトランスポートチャンネルを含むＥ−ＴＦＣについても選択可能となる。
【０１２８】
このように、本実施例では、移動局１２１，１２３において、ＤＰＣＨのトラフィックに応じて、ＤＰＣＨとＥＵＤＣＨの送信電力の合計が移動局の最大電力以下で、かつできる限りＥＵＤＣＨの伝送レートが高くなるようなＥ−ＴＦＣを選択することが可能となる。このとき、ＤＰＣＨに用いるＴＦＣの選択においては、従来通り最大電力を基準としてＴＦＣを選択する。従って、既存のＤＰＣＨのＴＦＣ選択機能に影響を与えずにＥＵＤＣＨのＴＦＣ選択機能を移動局１２１，１２３に追加することができる。
【０１２９】
また、本実施例では、移動局１２１，１２３において、実施例１と異なり、各Ｅ−ＴＦＣについて１つの状態を判定すればよいため、状態判定に要する計算量を削減できる。
【０１３０】
ここで、本発明の実施例３の無線通信システムに係る移動局１２１，１２３の動作について、図１４のフローチャートを参照して説明する。
【０１３１】
図１４に示すように、所定の単位送信時間ごとに、送信電力測定部３０３は、ＤＰＣＣＨの送信電力を測定する（ステップ４０１）。
【０１３２】
次に、ＴＦＣ選択部３１０は、各ＴＦＣについて、当該ＴＦＣを用いた場合の移動局の状態を図４の方法により判定する（ステップ４０２）。この状態判定では基準電力として、移動局の最大電力を使用する。
【０１３３】
次に、Ｅ−ＴＦＣ選択部３０７は、各Ｅ−ＴＦＣについて、当該Ｅ−ＴＦＣを用いた場合の移動局の状態を図４の方法により判定する（ステップ４０３）。この状態判定では基準電力として、移動局の最大電力から現在のＤＰＣＨの送信電力を引いた残りの電力を使用する。
【０１３４】
次に、ＴＦＣ選択部３１０およびＥ−ＴＦＣ選択部３０７は、データを送信する直前のタイミング、すなわちＴＦＣとＥ−ＴＦＣを選択するタイミングになったか否かを判定する（ステップ４０４）。このとき、上記タイミングになったか否かは、ＴＦＣセットおよびＥ−ＴＦＣセットに含まれる送信間隔（ＴＴＩ）に基づき判定する。
【０１３５】
ステップ４０４で上記タイミングになった場合、ＴＦＣ選択部３１０は、ＤＰＣＨの各トランスポートチャネル用のバッファ３０９に蓄積されたデータ量から各トランスポートチャネルに対して要求される伝送レートを計算する。そして、ＴＦＣ選択部３１０は、移動局がブロック状態以外となるＴＦＣの中で、優先度の高いトランスポートチャネルほど高い伝送レートとなり、かつ各トランスポートチャネルに要求される伝送レートを超えないようなＴＦＣを選択する（ステップ４０５）。
【０１３６】
次に、Ｅ−ＴＦＣ選択部３０７は、ＥＵＤＣＨの各トランスポートチャネル用のバッファ３０６に蓄積されたデータ量から各トランスポートチャネルに対して要求される伝送レートを計算する。そして、Ｅ−ＴＦＣ選択部３０７は、ブロック状態以外となるＥ−ＴＦＣの中から、優先度の高いトランスポートチャネルほど高い伝送レートとなり、かつ各トランスポートチャネルに要求される伝送レートを超えないようなＥ−ＴＦＣを選択する（ステップ４０６）。
【０１３７】
その後、送信処理部３０８は、データを送信するタイミングになると、ＴＦＣ選択部３１０で選択されたＴＦＣを用いてＤＰＣＨにて基地局１１１に対してデータ送信を行うとともに、Ｅ−ＴＦＣ選択部３０７で選択されたＥ−ＴＦＣを用いてＥＵＤＣＨにて基地局１１１に対してデータ送信を行う（ステップ４０７）。
【０１３８】
移動局１２１，１２３は、以上の動作を所定の単位送信時間ごとに繰り返し行う。
【０１３９】
以上のように、本実施例では、移動局１２１，１２３において、移動局の最大電力からＤＰＣＨの現在の送信電力を引いた残りの電力、すなわちＥＵＤＣＨに割り当て可能な送信電力を基準電力としてＥ−ＴＦＣの状態を判定している。従って、ＤＰＣＨのトラフィックに応じて、ＤＰＣＨとＥＵＤＣＨの送信電力の合計が最大電力を超えないようなＥ−ＴＦＣを選択する確率を高めることができる。また、ＤＰＣＨおよびＥＵＤＣＨで送信されるデータの品質低下を防止することができる。また、ＤＰＣＨのトラフィックが低い場合には、その分、伝送レートの高いトランスポートチャンネルを含むＥ−ＴＦＣについても選択できるようになるため、ＥＵＤＣＨのスループットを向上することができる。
【０１４０】
また、本実施例では、既存のＤＰＣＨのＴＦＣ選択機能に影響を与えずにＥＵＤＣＨのＴＦＣ選択機能を移動局１２１，１２３に追加することができる。
【０１４１】
さらに、本実施例では、移動局１２１，１２３において、実施例１と異なり、各Ｅ−ＴＦＣについて１つの状態を判定すればよいため、状態判定に要する計算量を削減できる。
【実施例４】
【０１４２】
本実施例は、上述した実施例３と比較して、ＴＦＣ選択部３１０により選択されたＴＦＣがその直前のＴＦＣから変動した時に、各Ｅ−ＴＦＣを用いた場合の移動局の状態を調整する点が異なる。
【０１４３】
例えば、図１５に示すように、選択したＴＦＣを用いた場合のＤＰＤＣＨの送信電力が、直前のＴＦＣを用いていた時のＤＰＤＣＨの送信電力よりも、ΔＰdpch1＝ＤＰＣＣＨの送信電力×（Δｃｒｒ−Δｐｒｅ）だけ高いものとする。ここで、Δｃｒｒは、選択したＴＦＣのＤＰＣＣＨに対する電力オフセット、Δｐｒｅは、直前のＴＦＣのＤＰＣＣＨに対する電力オフセットとする。この場合、Ｅ−ＴＦＣ選択部３０７は、移動局がブロック状態となるＥ−ＴＦＣの中でＥＵＤＣＨの送信電力が最小となるＥ−ＴＦＣ５と、Ｅ−ＴＦＣ５の次に送信電力が大きくなるＥ−ＴＦＣ４との送信電力の差ΔＰeudch1＝ＤＰＣＣＨの送信電力×（Δｅｔｆｃ５−Δｅｔｆｃ４）を計算する。このとき、Ｅ−ＴＦＣ選択部３０７は、ΔＰdpch1がΔＰeudch1よりも大きい場合は、Ｅ−ＴＦＣ４についての移動局の状態をブロック状態とする。ここで、Δｅｔｆｃ４は、Ｅ−ＴＦＣ４のＤＰＣＣＨに対する電力オフセット、Δｅｔｆｃ５は、Ｅ−ＴＦＣ５のＤＰＣＣＨに対する電力オフセットである。
【０１４４】
逆に、選択したＴＦＣを用いた場合のＤＰＤＣＨの送信電力が、直前のＴＦＣを用いていた時のＤＰＤＣＨの送信電力よりも、ΔＰdpch2だけ低いものとする。この場合、Ｅ−ＴＦＣ選択部３０７は、移動局がブロック状態以外となるＥ−ＴＦＣの中でＥＵＤＣＨの送信電力が最大となるＥ−ＴＦＣ３と、Ｅ−ＴＦＣ３の次に送信電力が大きくなるＥ−ＴＦＣ４との送信電力の差ΔＰeudch2を計算する。このとき、Ｅ−ＴＦＣ選択部３０７は、ΔＰeudch2がΔＰdpch2よりも小さい場合は、Ｅ−ＴＦＣ４についての移動局の状態を電力超過状態とする。
【０１４５】
以上のように、本実施例では、移動局１２１，１２３において、ＤＰＣＨのＴＦＣが変動しても、ＴＦＣの変動によるＤＰＣＨの送信電力の増減に応じて、Ｅ−ＴＦＣを用いた場合の移動局の状態を調整してＥ−ＴＦＣを選択することができる。従って、実施例３の効果に加えて、選択したＴＦＣとＥ−ＴＦＣを用いた場合のＤＰＣＨの送信電力とＥＵＤＣＨの送信電力との合計が移動局の最大電力以下となる確率をさらに高めることができ、ＤＰＣＨおよびＥＵＤＣＨで送信されるデータの品質低下を防止することができる。
【０１４６】
また、本実施例では、実施例３と同様に、未使用のＴＦＣのために電力を確保する確率をさらに低減できるため、ＥＵＤＣＨのスループットを向上することができる。
【実施例５】
【０１４７】
本発明の実施例５の無線通信システムに係る移動局１２１，１２３の構成は、図５に示した実施例１と同様であるため、図は省略する。
【０１４８】
本発明の実施例５の無線通信システムに係る移動局１２１，１２３において、ＴＦＣおよびＥ−ＴＦＣを選択する動作について、図１６を用いて説明する。
【０１４９】
ＴＦＣ選択部３１０は、各ＴＦＣを用いた場合の移動局の状態について、移動局の最大電力を基準電力として判定する。図１６では、ＴＦＣ０〜ＴＦＣ５のいずれを用いた場合も、移動局の状態は基準電力以下であり、サポート状態と判定する。ここでは、ＴＦＣ選択部３１０がＴＦＣ３を選択したものとする。
【０１５０】
Ｅ−ＴＦＣ選択部３０７は、各Ｅ−ＴＦＣを用いた場合の移動局の状態について、図１６に示したように、移動局の最大電力から、ＤＰＣＨの送信電力が最大となるＴＦＣ（最大ＴＦＣ）を用いた場合のＤＰＣＨの送信電力を引いた残りの電力を基準電力として判定する。従って、ＴＦＣ選択部３１０にて最大ＴＦＣが選択された場合でも、Ｅ−ＴＦＣ選択部３０７は、ＤＰＣＨの送信電力とＥＵＤＣＨの送信電力との合計が移動局の最大電力以下となるようにＥ−ＴＦＣを選択することができる。
【０１５１】
さらに、Ｅ−ＴＦＣ選択部３０７は、移動局がブロック状態となるＥ−ＴＦＣがある場合は、ＴＦＣ選択部３１０にてＴＦＣが選択された後に、移動局がブロック状態以外となりかつ送信電力が最大となる最大ＴＦＣを用いた場合のＤＰＣＨの送信電力と、選択されたＴＦＣを用いた場合のＤＰＣＨの送信電力との差ΔＰunusedを計算する。そして、Ｅ−ＴＦＣ選択部３０７は、移動局がブロック状態となるＥ−ＴＦＣの中から電力オフセットの低い順に、移動局がブロック状態以外となるＥ−ＴＦＣの中でＥＵＤＣＨの送信電力が最も高くなるＥ−ＴＦＣとの送信電力の差ΔＰeudchを計算する。そして、Ｅ−ＴＦＣ選択部３０７は、ΔＰunusedがΔＰeudchよりも大きい場合は、該当するＥ−ＴＦＣを用いた場合の移動局の状態を電力超過状態とする。
【０１５２】
例えば、図１６では、Ｅ−ＴＦＣ２までは移動局が送信可状態となるが、それより上のＥ−ＴＦＣを用いた場合は移動局がブロック状態（送信不可状態）となる。一方、ＤＰＣＨではＴＦＣ３を用いてデータ送信が行われるため、このままでは移動局の電力はΔＰunusedだけ未使用となってしまう。
【０１５３】
そこで、Ｅ−ＴＦＣ選択部３０７は、移動局がブロック状態となるＥ−ＴＦＣ３と、移動局がブロック状態以外となるＥ−ＴＦＣの中でＥＵＤＣＨの送信電力が最も高くなるＥ−ＴＦＣ２との送信電力の差ΔＰeudch1をΔＰunusedと比較する。この場合は、ΔＰunusedが大きいため、Ｅ−ＴＦＣ選択部３０７は、Ｅ−ＴＦＣ３を用いた場合の移動局の状態を電力超過状態に変更する。同様に、Ｅ−ＴＦＣ選択部３０７は、移動局がブロック状態となるＥ−ＴＦＣ４とＥ−ＴＦＣ２との送信電力の差ΔＰeudch2をΔＰunusedと比較する。この場合も、ΔＰunusedが大きいため、Ｅ−ＴＦＣ選択部３０７は、Ｅ−ＴＦＣ４を用いた場合の移動局の状態を電力超過状態に変更する。
【０１５４】
このように、本実施例では、移動局１２１，１２３において、より伝送レートの高いトランスポートチャネルを含むＥ−ＴＦＣまで選択できるようになり、移動局の電力を有効に活用することが可能となる。すなわち、ＥＵＤＣＨのスループットを向上させることができる。
【０１５５】
また、本実施例では、移動局１２１，１２３において、ＤＰＣＨに用いるＴＦＣの選択については、従来通り最大電力を基準としてＴＦＣを選択する。従って、既存のＴＦＣ選択機能に影響を与えずＥＵＤＣＨのＴＦＣ選択機能を移動局１２１，１２３に追加することができる。
【０１５６】
また、本実施例では、移動局１２１，１２３において、実施例１と異なり、各Ｅ−ＴＦＣについて１つの状態を判定すればよいため、状態判定に要する計算量を削減できる。
【０１５７】
ここで、本発明の実施例５の無線通信システムに係る移動局１２１，１２３の動作について、図１７のフローチャートを参照して説明する。
【０１５８】
図１７に示すように、所定の単位送信時間ごとに、送信電力測定部３０３は、ＤＰＣＣＨの送信電力を測定する（ステップ５０１）。
【０１５９】
次に、ＴＦＣ選択部３１０は、各ＴＦＣについて、当該ＴＦＣを用いた場合の移動局の状態を図４の方法により判定する（ステップ５０２）。この状態判定では基準電力として移動局の最大電力を使用する。
【０１６０】
次に、Ｅ−ＴＦＣ選択部３０７は、各Ｅ−ＴＦＣについて、当該Ｅ−ＴＦＣを用いた場合の移動局の状態を図４の方法により判定する（ステップ５０３）。この状態判定では基準電力として、移動局の最大電力から、移動局がブロック状態以外となりかつＤＰＣＨの送信電力が最大となるＴＦＣを用いた場合のＤＰＣＨの送信電力を引いた残りの電力を使用する。
【０１６１】
次に、ＴＦＣ選択部３１０およびＥ−ＴＦＣ選択部３０７は、データを送信する直前のタイミング、すなわちＴＦＣとＥ−ＴＦＣを選択するタイミングになったか否かを判定する（ステップ５０４）。このとき、上記タイミングになったか否かは、ＴＦＣセットおよびＥ−ＴＦＣセットに含まれる送信間隔（ＴＴＩ）に基づき判定する。
【０１６２】
ステップ５０４で上記タイミングになった場合、ＴＦＣ選択部３１０は、ＤＰＣＨの各トランスポートチャネル用のバッファ３０９に蓄積されたデータ量から各トランスポートチャネルに対して要求される伝送レートを計算する。そして、ＴＦＣ選択部３１０は、移動局がブロック状態以外となるＴＦＣの中で、優先度の高いトランスポートチャネルほど高い伝送レートとなり、かつ各トランスポートチャネルに要求される伝送レートを超えないようなＴＦＣを選択する（ステップ５０５）。
【０１６３】
次に、Ｅ−ＴＦＣ選択部３０７は、ＤＰＣＨの送信電力が最大となるＴＦＣと上記で選択されたＴＦＣとのＤＰＣＨの送信電力の差ΔＰunusedを計算する。そして、Ｅ−ＴＦＣ選択部３０７は、移動局がブロック状態となるＥ−ＴＦＣの中から電力オフセットの低い順に、移動局がブロック状態以外となるＥ−ＴＦＣの中で最もＥＵＤＣＨの送信電力が大きくなるＥ−ＴＦＣとのＥＵＤＣＨの送信電力の差ΔＰeudchを計算する。そして、Ｅ−ＴＦＣ選択部３０７は、ΔＰeudchがΔＰunusedよりも小さければ、該当するＥ−ＴＦＣを用いた場合の移動局の状態を電力超過状態に変更する（ステップ５０６）。
【０１６４】
さらに、Ｅ−ＴＦＣ選択部３０７は、ＥＵＤＣＨの各トランスポートチャネル用のバッファ３０６に蓄積されたデータ量から各トランスポートチャネルに対して要求される伝送レートを計算する。そして、Ｅ−ＴＦＣ選択部３０７は、移動局がブロック状態以外となるＥ−ＴＦＣの中から、優先度の高いトランスポートチャネルほど高い伝送レートとなり、かつ各トランスポートチャネルに要求される伝送レートを超えないようなＥ−ＴＦＣを選択する（ステップ５０７）。
【０１６５】
その後、送信処理部３０８は、データを送信するタイミングになると、ＴＦＣ選択部３１０で選択されたＴＦＣを用いてＤＰＣＨにて基地局１１１に対してデータ送信を行うとともに、Ｅ−ＴＦＣ選択部３０７で選択されたＥ−ＴＦＣを用いてＥＵＤＣＨにて基地局１１１に対してデータ送信を行う（ステップ５０８）。
【０１６６】
移動局１２１，１２３は、以上の動作を所定の単位送信時間ごとに繰り返し行う。
【０１６７】
以上のように、本実施例では、移動局１２１，１２３において、移動局の最大電力から、移動局がブロック状態以外となりかつＤＰＣＨの送信電力が最大となる最大ＴＦＣを用いた場合のＤＰＣＨの送信電力を引いた残りの電力を基準電力としてＥ−ＴＦＣの状態を判定する。その後、最大ＴＦＣを用いた場合と選択したＴＦＣを用いた場合とのＤＰＣＨの送信電力の差に応じて、該当するＥ−ＴＦＣについては移動局の状態をブロック状態から電力超過状態へ変更する。
【０１６８】
従って、ＤＰＣＨのトラフィック量が変化しても、ＤＰＣＨとＥＵＤＣＨの送信電力の合計が最大電力を超えないようにＥ−ＴＦＣを選択する確率を高めることができ、ＤＰＣＨおよびＥＵＤＣＨで送信されるデータの品質低下を防止することができる。また、ＤＰＣＨのトラフィックが低い場合には、その分、伝送レートの高いトランスポートチャンネルを含むＥ−ＴＦＣについても選択できるようになるため、ＥＵＤＣＨのスループットを向上することができる。
【０１６９】
また、本実施例では、既存のＤＰＣＨのＴＦＣ選択機能に影響を与えずにＥＵＤＣＨのＴＦＣ選択機能を移動局１２１，１２３に追加することができる。
【０１７０】
さらに、本実施例では、移動局１２１，１２３において、実施例１と異なり、各Ｅ−ＴＦＣについて１つの状態を判定すればよいため、状態判定に要する計算量を削減できる。
【実施例６】
【０１７１】
本発明の実施例６では、ＤＰＣＨにて提供するサービスとＥＵＤＣＨにて提供するサービスの内容に応じて、ＴＦＣ選択とＥ−ＴＦＣ選択の優先度を決定し、決定した優先度に応じて実施例３におけるＤＰＣＨに対する処理とＥＵＤＣＨに対する処理とを逆にする。
【０１７２】
すなわち、ＴＦＣ選択の優先度が高い場合には、実施例３で説明した通りにＴＦＣ選択およびＥ−ＴＦＣ選択を行う。一方、Ｅ−ＴＦＣ選択の優先度が高い場合には、移動局の最大電力からＥＵＤＣＨの現在の送信電力を引いた残りの電力を基準電力として、各ＴＦＣを用いた場合の移動局の状態判定を行うようにする。
【０１７３】
これにより、本実施例では、データ遅延に対する要求が厳しいサービス、例えば、音声やストリーミングなどの配信サービスを提供しているチャネルに優先的に移動局の電力を割り当てることが可能となる。従って、サービスの品質を向上することができる。
【０１７４】
なお、ＤＰＣＨとＥＵＤＣＨの優先度は、基地局制御装置１０１にて決定し移動局１２１，１２３に通知してもよいし、移動局１２１，１２３が決定してもよい。
【実施例７】
【０１７５】
本発明の実施例７では、ＤＰＣＨにて提供するサービスとＥＵＤＣＨにて提供するサービスの内容に応じて、ＴＦＣ選択とＥ−ＴＦＣ選択の優先度を決定し、決定した優先度に応じて実施例５におけるＤＰＣＨに対する処理とＥＵＤＣＨに対する処理とを逆にする。
【０１７６】
すなわち、ＴＦＣ選択の優先度が高い場合には、実施例５で説明した通りにＴＦＣ選択およびＥ−ＴＦＣ選択を行う。一方、Ｅ−ＴＦＣ選択の優先度が高い場合には、移動局の最大電力から、ＥＵＤＣＨの送信電力が最大となるＥ−ＴＦＣを用いた場合のＥＵＤＣＨの送信電力を引いた残りの電力を基準電力として、各ＴＦＣを用いた場合の移動局の状態判定を行うようにする。
【０１７７】
これにより、本実施例では、データ遅延に対する要求が厳しいサービス、例えば、音声やストリーミングなどの配信サービスを提供しているチャネルに優先的に移動局の電力を割り当てることが可能となる。従って、サービスの品質を向上することができる。
【０１７８】
なお、ＤＰＣＨとＥＵＤＣＨの優先度は、基地局制御装置１０１にて決定し移動局１２１，１２３に通知してもよいし、移動局１２１，１２３が決定してもよい。
【図面の簡単な説明】
【０１７９】
【図１】従来の無線通信システムに係る移動局において、移動局の状態を判定する動作を説明する図である。
【図２】従来の無線通信システムに係る移動局において、ＴＦＣおよびＥ−ＴＦＣを選択する動作を説明する図である。
【図３】本発明の無線通信システムの構成を示す図である。
【図４】本発明の無線通信システムに係る移動局において、移動局の状態を判定する動作を説明するフローチャートである。
【図５】本発明の実施例１の無線通信システムに係る移動局の構成を示す図である。
【図６Ａ】本発明の実施例１の無線通信システムに係る移動局に用いられる電力オフセットテーブルを説明する図である。
【図６Ｂ】本発明の実施例１の無線通信システムに係る移動局に用いられる電力オフセットテーブルを説明する図である。
【図７Ａ】本発明の実施例１の無線通信システムに係る移動局に用いられる状態管理テーブルを説明する図である。
【図７Ｂ】本発明の実施例１の無線通信システムに係る移動局に用いられる状態管理テーブルを説明する図である。
【図８】本発明の実施例１の無線通信システムに係る移動局の全体動作を説明するフローチャートである。
【図９】本発明の実施例２の無線通信システムに係る基地局制御装置の構成を示す図である。
【図１０】本発明の実施例２の無線通信システムに係る移動局の構成を示す図である。
【図１１】本発明の実施例２の無線通信システムに係る移動局に用いられる状態管理テーブルを説明する図である。
【図１２】本発明の実施例２の無線通信システムに係る移動局の全体動作を説明するフローチャートである。
【図１３】本発明の実施例３の無線通信システムに係る移動局において、移動局の状態を判定する動作を説明する図である。
【図１４】本発明の実施例３の無線通信システムに係る移動局の全体動作を説明するフローチャートである。
【図１５】本発明の実施例４の無線通信システムに係る移動局において、移動局の状態を判定する動作を説明する図である。
【図１６】本発明の実施例５の無線通信システムに係る移動局において、移動局の状態を判定する動作を説明する図である。
【図１７】本発明の実施例５の無線通信システムに係る移動局の全体動作を説明するフローチャートである。
【符号の説明】
【０１８０】
１０１    基地局制御装置
１１１，１１２    基地局
１２１〜１２５    移動局
３０１，７０２，８０１    受信処理部
３０２，８０２    制御信号分離部
３０３，８０４    送信電力測定部
３０４    ＥＵＤＣＨ送信制御部
３０５    ＤＰＣＨ送信制御部
３０６，３０９，８０７    バッファ
３０７    Ｅ−ＴＦＣ選択部
３０８，７０５，８０６    送信処理部
３１０，８０５    ＴＦＣ選択部
７０３    制御部
７０４    優先度決定部
８０３    ＴＦＣ状態管理部
【図１】
0004591718.tif 000002
【図２】
0004591718.tif 000003
【図３】
0004591718.tif 000004
【図４】
0004591718.tif 000005
【図５】
0004591718.tif 000006
【図６Ａ】
0004591718.tif 000007
【図６Ｂ】
0004591718.tif 000008
【図７Ａ】
0004591718.tif 000009
【図７Ｂ】
0004591718.tif 000010
【図８】
0004591718.tif 000011
【図９】
0004591718.tif 000012
【図１０】
0004591718.tif 000013
【図１１】
0004591718.tif 000014
【図１２】
0004591718.tif 000015
【図１３】
0004591718.tif 000016
【図１４】
0004591718.tif 000017
【図１５】
0004591718.tif 000018
【図１６】
0004591718.tif 000019
【図１７】
0004591718.tif 000020